(57)【特許請求の範囲】
【請求項１】
撮像手段と、
前記撮像手段で撮像されたライブビュー画像を表示部に表示するように制御する表示制御手段と、
前記表示部に表示されるライブビュー画像の倍率を変更する倍率変更手段と、
焦点検出に用いる焦点調節位置の選択方式がそれぞれ異なる複数のＡＦモードの何れかを設定するＡＦモード設定手段と、
前記ＡＦモード設定手段で第１のＡＦモードに設定されており、前記倍率変更手段により第１の倍率から前記第１の倍率よりも大きい第２の倍率に変更された場合に、ライブビュー画像を拡大して前記第２の倍率で表示するとともにＡＦモードを第２のＡＦモードに設定し、前記第２の倍率になった後に前記第１の倍率に変更された場合に、前記第１のＡＦモードに設定するとともに、前記第２のＡＦモードで設定された焦点調節位置に基づいて焦点調節位置を設定するように制御する制御手段と
を有することを特徴とする撮像装置。
【請求項２】
焦点調節位置を設定する位置設定手段を更に有し、
前記第１のＡＦモードに設定していた状態から前記第２の倍率に変更されたことに伴って前記第２のＡＦモードに設定された状態で、前記位置設定手段はユーザの操作に基づいて焦点調節位置を変更することが可能であることを特徴とする請求項１に記載の撮像装置。
【請求項３】
前記第１のＡＦモードは、撮影範囲を複数のゾーンに分け、ユーザに選択されたゾーンにある焦点調節位置で焦点調節を行うゾーン選択ＡＦモードであることを特徴とする請求項１または２に記載の撮像装置。
【請求項４】
前記制御手段は、
前記第１のＡＦモードに設定していた状態から前記第２の倍率に変更されたことに伴って前記第２のＡＦモードに設定された状態で、ユーザの操作に基づいて焦点調節位置が変更された場合、
前記第２の倍率の際に変更された焦点調節位置が前記第２の倍率に変更される前に設定されていたゾーン内である場合は、前記第２の倍率から前記第１の倍率に戻ると、前記第１のＡＦモードに設定するとともに、前記ゾーン選択ＡＦモードでの設定ゾーンを、前記第２の倍率に変更される前に設定されていたゾーンから変更せず、
前記第２の倍率の際に変更された焦点調節位置が前記第２の倍率に変更される前に設定されていたゾーン外である場合は、前記第２の倍率から前記第１の倍率に戻ると、前記第１のＡＦモードに設定するとともに、前記ゾーン選択ＡＦモードでの設定ゾーンを、前記第２の倍率に変更される前に設定されていたゾーンから変更して、前記変更された焦点調節位置に対応するゾーンに設定するように制御することを特徴とする請求項３に記載の撮像装置。
【請求項５】
前記ゾーン選択ＡＦモードに設定していた状態から前記第２の倍率に変更されたことに伴って前記第２のＡＦモードに設定された状態では、前記第１の倍率の際に前記ゾーン選択ＡＦモードで選択されていたゾーン内でのみ、前記第２のＡＦモードでの焦点調節位置の変更が可能なように制限する制限手段を更に有することを特徴とする請求項３に記載の撮像装置。
【請求項６】
前記第１のＡＦモードは、ライブビュー画像から検出された顔を焦点調節位置とする顔ＡＦモードであることを特徴とする請求項１または２に記載の撮像装置。
【請求項７】
前記制御手段は、前記顔ＡＦモードに設定していた状態から前記第２の倍率に変更されたことに伴って前記第２のＡＦモードに設定され、その後に前記第１の倍率に変更された場合、前記顔ＡＦモードに設定するとともに、ライブビュー画像から複数の顔が検出された場合は前記第２のＡＦモードで設定された焦点調節位置に最も近い顔に焦点調節位置を設定するように制御することを特徴とする請求項６に記載の撮像装置。
【請求項８】
前記第１のＡＦモードに設定していた状態から前記第２の倍率に変更されたことに伴って前記第２のＡＦモードに設定された状態で焦点調節位置が設定され、その後に前記第１の倍率に変更されて焦点調節位置が設定された場合、さらにその後に第２の倍率に変更した場合は前記第１の倍率において設定された焦点調節位置に基づく位置が焦点調節位置となることを特徴とする請求項１乃至７の何れか１項に記載の撮像装置。
【請求項９】
前記第１のＡＦモードは、ユーザの操作に応じてライブビュー上の任意の位置に設定された１点の焦点調節位置で焦点調節を行う１点ＡＦモードであることを特徴とする請求項１または２に記載の撮像装置。
【請求項１０】
前記制御手段は、前記第１のＡＦモードに設定していた状態から前記第２の倍率に変更されたことに伴って前記第２のＡＦモードに設定された状態で焦点調節位置が変更されてかつＡＦを実行した場合には、その後に前記第１の倍率に変更された場合に、前記第１のＡＦモードに設定するとともに、前記第２のＡＦモードで設定された焦点調節位置に基づいて焦点調節位置を設定するように制御し、
前記第１のＡＦモードに設定していた状態から前記第２の倍率に変更されたことに伴って前記第２のＡＦモードに設定された状態で焦点調節位置が変更されても、その後にＡＦが実行されずに前記第１の倍率に変更された場合は、前記第１のＡＦモードに設定するとともに、前記第２の倍率に変更される前の焦点調節位置に基づいて焦点調節位置を設定するように制御することを特徴とする請求項１乃至９の何れか１項に記載の撮像装置。
【請求項１１】
撮像手段を有する撮像装置の制御方法であって、
前記撮像手段で撮像されたライブビュー画像を表示部に表示するように制御する表示制御ステップと、
前記表示部に表示されるライブビュー画像の倍率を変更する倍率変更ステップと、
焦点検出に用いる焦点調節位置の選択方式がそれぞれ異なる複数のＡＦモードの何れかを設定するＡＦモード設定ステップと、
第１のＡＦモードに設定されており、前記倍率変更ステップにより第１の倍率から前記第１の倍率よりも大きい第２の倍率に変更された場合に、ライブビュー画像を拡大して前記第２の倍率で表示するとともにＡＦモードを第２のＡＦモードに設定し、前記第２の倍率になった後に前記第１の倍率に変更された場合に、前記第１のＡＦモードに設定するとともに、前記第２のＡＦモードで設定された焦点調節位置に基づいて焦点調節位置を設定するように制御する制御ステップと
を有することを特徴とする撮像装置の制御方法。
【請求項１２】
コンピュータを、請求項１乃至１０の何れか１項に記載の撮像装置の各手段として機能させるためのプログラム。
【請求項１３】
コンピュータを、請求項１乃至１０の何れか１項に記載の撮像装置の各手段として機能させるためのプログラムを格納したコンピュータが読み取り可能な記憶媒体。
【発明の詳細な説明】
【技術分野】
【０００１】
本発明は、特に、異なる倍率でＡＦ（オートフォーカス）の測距点を設定するために用いて好適な撮像装置、撮像装置の制御方法、プログラム及び記憶媒体に関する。
【背景技術】
【０００２】
従来、撮像装置には、ライブビューにおいて、等倍表示と拡大表示とでＡＦ（オートフォーカス）モードにおける測距点（以下、ＡＦ測距点）の位置を設定するものが知られている。例えば、特許文献１には、等倍表示と拡大表示とでＡＦ測距点の位置を常に一致させる技術が開示されている。
【先行技術文献】
【特許文献】
【０００３】
【特許文献１】特開２００８−２１１６３０号公報
【発明の概要】
【発明が解決しようとする課題】
【０００４】
しかしながら、上述の特許文献１に開示された従来技術は、等倍表示と拡大表示とで動作するＡＦモードの種類が同じであることを前提にしている。このため、等倍表示と拡大表示とで動作するＡＦモードの種類が異なる場合、特に等倍表示と拡大表示とで配置されるＡＦ測距点の位置が異なる場合にはこの技術を適用することができない。そのため、等倍表示と拡大表示とで動作するＡＦモードの種類が異なる場合には、それぞれの倍率で別途ＡＦ動作を行う必要がある。
【０００５】
本発明は前述の問題点に鑑み、等倍表示と拡大表示とで動作するＡＦモードの種類が異なる場合において、等倍表示と拡大表示とで測距点の位置を連動できるようにすることを目的としている。
【課題を解決するための手段】
【０００６】
本発明に係る撮像装置は、撮像手段と、前記撮像手段で撮像されたライブビュー画像を表示部に表示するように制御する表示制御手段と、前記表示部に表示されるライブビュー画像の倍率を変更する倍率変更手段と、焦点検出に用いる焦点調節位置の選択方式がそれぞれ異なる複数のＡＦモードの何れかを設定するＡＦモード設定手段と、前記ＡＦモード設定手段で第１のＡＦモードに設定されており、前記倍率変更手段により第１の倍率から前記第１の倍率よりも大きい第２の倍率に変更された場合に、ライブビュー画像を拡大して前記第２の倍率で表示するとともにＡＦモードを第２のＡＦモードに設定し、前記第２の倍率になった後に前記第１の倍率に変更された場合に、前記第１のＡＦモードに設定するとともに、前記第２のＡＦモードで設定された焦点調節位置に基づいて焦点調節位置を設定するように制御する制御手段とを有することを特徴とする。
【発明の効果】
【０００７】
本発明によれば、等倍表示と拡大表示とで動作するＡＦモードの種類が異なる場合において、等倍表示と拡大表示とで測距点の位置を連動させることができる。
【図面の簡単な説明】
【０００８】
【図１】実施形態におけるデジタルカメラの外観構成例を示す図である。
【図２】実施形態におけるデジタルカメラの内部構成例を示すブロック図である。
【図３Ａ】等倍表示において動作するＡＦ測距点の設定処理手順の一例を示すフローチャートである。
【図３Ｂ】拡大表示において動作するＡＦ測距点の設定処理手順の一例を示すフローチャートである。
【図４】ＡＦモードにおけるＡＦ測距点の位置を説明するための図である。
【図５】拡大表示から等倍表示に切り替わった際のＡＦ測距点の連動を説明するための図である。
【図６】拡大表示のＡＦ測距点の変更が指示された後に等倍表示のＡＦ測距点の領域を設定する方法を説明するための図である。
【発明を実施するための形態】
【０００９】
以下、図面を参照しながら本発明の好適な実施形態について説明する。
図１（ａ）及び図１（ｂ）は、本実施形態において、撮像装置の一例であるデジタルカメラ１００の外観構成例を示す図である。図１（ａ）はデジタルカメラ１００の前面の構成を示す斜視図であり、図１（ｂ）はデジタルカメラ１００の背面の構成を示す斜視図である。
【００１０】
図１において、表示部２８はデジタルカメラ１００の背面に設けられた表示部であり、画像や各種情報が表示される。ファインダー外表示部４３は、デジタルカメラ１００の上面に設けられた表示部であり、シャッター速度や絞りをはじめとするデジタルカメラ１００に係る様々な設定値が表示される。シャッターボタン６１は撮影指示を行うための操作部である。モード切替スイッチ６０は各種モードを切り替えるための操作部である。モードの種類については図２の説明において後述する。端子カバー４０は外部機器との接続ケーブルとデジタルカメラ１００とを接続する接続ケーブル等のコネクタ（不図示）を保護するカバーである。
【００１１】
メイン電子ダイヤル７１は回転操作部材であり、ユーザがこのメイン電子ダイヤル７１を回すことにより、シャッター速度や絞りなどの設定値の変更等を行うことができる。電源スイッチ７２はデジタルカメラ１００の電源のＯＮ及びＯＦＦを切り替える操作部材である。サブ電子ダイヤル７３は回転操作部材であり、選択枠の移動や画像送りなどを行うために用いられる。
【００１２】
十字キー７４は、上、下、左、右部分をそれぞれ押し込み可能な十字キー（４方向キー）であり、十字キー７４の押した部分に応じた操作が可能である。ＳＥＴボタン７５は押しボタンであり、主に選択項目の決定などに用いられる。ＬＶボタン７６はメニューボタンにおいてライブビュー（以下、ＬＶ）のＯＮとＯＦＦとを切り替えるボタンであり、動画撮影モードにおいては、動画撮影（記録）の開始または停止の指示に用いられる。
【００１３】
拡大ボタン７７は、撮影モードのライブビュー表示において画角を調整して画像を拡大したり、再生モード中の再生画像を拡大したりするための操作ボタンである。拡大ボタン７７はライブビュー画像または再生モードにおける再生画像を拡大し、拡大率を増加させるためのボタンとして機能する。縮小ボタン７８は拡大された再生画像の拡大率を低減させ、表示された画像を縮小させるためのボタンである。再生ボタン７９は撮影モードと再生モードとを切り替えるための操作ボタンである。撮影モード中に再生ボタン７９が押下されると再生モードに移行し、記録媒体に記録された画像のうち最新の画像を表示部２８に表示させることができる。
【００１４】
クイックリターンミラー１２は、不図示のアクチュエータによりアップダウンされる。通信端子１０はデジタルカメラ１００側が着脱可能なレンズユニット側と通信を行うための端子である。ファインダー１６はフォーカシングスクリーン１３を観察することによって、レンズユニットを通して得た被写体の光学像の焦点や構図の確認を行うための覗き込み型のファインダーである。蓋２０２は記録媒体を格納するスロットの蓋である。グリップ部９０は、ユーザがデジタルカメラ１００を構えた際に右手で握りやすい形状とした保持部である。
【００１５】
図２は、本実施形態におけるデジタルカメラ１００の内部構成例を示すブロック図である。
図２において、レンズユニット１５０は、交換可能な撮影レンズを搭載するレンズユニットであり、デジタルカメラ１００に装着されている。以下、レンズユニット１５０について説明する。
【００１６】
レンズ１０３は通常、複数枚のレンズから構成されるが、ここでは簡略して一枚のレンズのみで示している。通信端子６はレンズユニット１５０側がデジタルカメラ１００側と通信を行うための通信端子であり、前述した通信端子１０と接続されている。レンズユニット１５０は、この通信端子６、１０を介してシステム制御部５０と通信し、内部のレンズシステム制御回路４によって絞り駆動回路２を介して絞り１の制御を行う。そして、ＡＦ駆動回路３を介して、レンズ１０３の位置を変位させることによって焦点を合わせる。
【００１７】
続いて、本実施形態に係るデジタルカメラ１００の内部構成について説明する。
ＡＥセンサー１７は、レンズユニット１５０を通した被写体の輝度を測光して検出する。焦点検出部１１は、システム制御部５０にデフォーカス量情報を出力する。システム制御部５０はこのデフォーカス量情報に基づいてレンズユニット１５０を制御し、位相差ＡＦを行う。
【００１８】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダー１６側と撮像部２２側とに切替えるためのミラーである。ミラー１２は通常時はファインダー１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。撮影者は、ペンタプリズム１４とファインダー１６とを介して、フォーカシングスクリーン１３を観察することにより、レンズユニット１５０を通して得た被写体の光学像の焦点や構図を確認することが可能となる。
【００１９】
シャッター１０１は、システム制御部５０の制御により撮像部２２の露光時間を自由に制御できるフォーカルプレーンシャッターである。撮像部２２は光学像を電気信号に変換するＣＣＤやＣＭＯＳ素子等で構成される撮像素子である。Ａ／Ｄ変換器２３は、撮像部２２から出力されるアナログ信号をデジタル信号に変換するために用いられる。
【００２０】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像して得られた画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像して得られた画像データを用いて所定の演算処理を行い、得られた演算結果に基づいてＴＴＬ方式のＡＷＢ（オートホワイトバランス）処理も行っている。
【００２１】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画データや所定時間の動画データおよび音声データを格納するのに十分な記憶容量を備えている。記録時は、撮像部２２を介して生成された画像データがメモリ３２に書き込まれ、その画像データが画像処理部２４により所定の圧縮形式で圧縮され、記録媒体２００に書き込まれる。
【００２２】
また、メモリ３２は画像表示用のメモリ（ビデオメモリ）としての機能も兼ねている。Ｄ／Ａ変換器１９は、メモリ３２に格納されている画像表示用のデータをアナログ信号に変換して表示部２８に供給する。これにより、メモリ３２に書き込まれた表示用の画像データはＤ／Ａ変換器１９を介して表示部２８に画像として表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換する。そして、表示部２８に逐次転送して表示することにより電子ビューファインダとして機能し、スルー画像表示（ライブビュー表示・ＬＶ表示）を行うことができる。
【００２３】
ファインダー内液晶表示部４１には、ファインダー内表示部駆動回路４２を介して、現在オートフォーカスが行われている測距点を示す枠（ＡＦ枠）や、カメラの設定状態を表すアイコンなどが表示される。なお、本実施形態においては、撮影準備前にシステム制御部５０によって設定されたＡＦ枠やアイコン等を表示部２８にも表示するようにしている。一方、ファインダー外表示部４３には、ファインダー外表示部駆動回路４４を介して、シャッター速度や絞りをはじめとするデジタルカメラ１００の様々な設定値が表示される。
【００２４】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２５】
システム制御部５０は、デジタルカメラ１００全体を制御する。前述した不揮発性メモリ５６に記録されたプログラムを実行することにより、後述する本実施形態の各処理を実現する。また、システム制御部５０はメモリ３２、Ｄ／Ａ変換器１９、表示部２８等を制御することにより表示制御も行う。システムメモリ５２は例えばＲＡＭが用いられ、システムメモリ５２には、システム制御部５０の動作用の定数、変数、不揮発性メモリ５６から読み出されたプログラム等が展開される。また、システムメモリ５２には、ＡＦモードの設定情報や、その他の情報が一時的に記録される。
【００２６】
システムタイマー５３は各種制御に用いる時間や、内蔵された時計の時間を計測する計時部である。モード切替スイッチ６０、第１シャッタースイッチ６２、第２シャッタースイッチ６４、及び操作部７０はシステム制御部５０に各種の動作指示を入力するための操作手段である。
【００２７】
モード切替スイッチ６０は、システム制御部５０の動作モードを静止画撮影モード、動画撮影モード、再生モード等のいずれかに切り替える。静止画撮影モードの種類としては、ＡＦ（オートフォーカス）モード、オートシーン判別モード、マニュアルモード、絞り優先モード（Ａｖモード）、及びシャッター速度優先モード（Ｔｖモード）が含まれる。本実施形態においては、さらにＡＦモードとして、顔ＡＦモードなど複数のＡＦモードが存在し、例えば拡大表示でも常にＡＦ測距点が拡大画像内に含まれるようにＡＦ測距点を設定するモードも存在する。さらに、ＡＦモードを等倍表示と拡大表示とで異なるように設定することができる。ＡＦモードの種類については図３及び図４の説明においても後述する。また、撮影シーン別の撮影設定となる各種シーンモード、プログラムＡＥモード、カスタムモード等がある。ユーザがモード切替スイッチ６０を操作することにより、これらのモードのいずれかに直接切り替えられる。あるいは、モード切替スイッチ６０でメニューに一旦切り換え、メニューに含まれるこれらのモードのいずれかに、他の操作部材を用いて切り替えるようにしてもよい。同様に、動画撮影モードにも複数のモードが含まれていてもよい。
【００２８】
第１シャッタースイッチ６２は、デジタルカメラ１００に設けられたシャッターボタン６１の操作途中、いわゆる半押し（撮影準備指示）でＯＮとなり、第１シャッタースイッチ信号ＳＷ１を発生させる。この第１シャッタースイッチ信号ＳＷ１がシステム制御部５０に入力されると、ＡＦ（オートフォーカス）処理、ＡＥ（自動露出）処理、ＡＷＢ（オートホワイトバランス）処理、ＥＦ（フラッシュプリ発光）処理等の動作を開始する。
【００２９】
第２シャッタースイッチ６４は、シャッターボタン６１の操作完了、いわゆる全押し（撮影指示）でＯＮとなり、第２シャッタースイッチ信号ＳＷ２を発生させる。この第２シャッタースイッチ信号ＳＷ２によりシステム制御部５０は、撮像部２２からの信号読み出しから記録媒体２００に画像データを書き込むまでの一連の撮影処理の動作の開始を制御する。
【００３０】
操作部７０は、図１に示したメイン電子ダイヤル７１、サブ電子ダイヤル７３、十字キー７４、ＳＥＴボタン７５、ＬＶボタン７６、拡大ボタン７７、縮小ボタン７８、再生ボタン７９等から構成されている。また、操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。ユーザは、表示部２８に表示されたメニュー画面を見ながら、十字キー７４やＳＥＴボタン７５などを操作して直感的に各種設定を行うことができる。
【００３１】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及び電源スイッチ７２の切り替えによるシステム制御部５０の指示に基づいてＤＣ−ＤＣコンバータを制御し、必要な電圧を必要な期間、記録媒体２００を含む各部へ供給する。
【００３２】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像データを記録するためのメモリカード等の記録媒体であり、半導体メモリや磁気ディスク等から構成される。
【００３３】
通信部５４は、無線または有線ケーブルによって接続し、映像信号や音声信号の送受信を行う。通信部５４は無線ＬＡＮ（Local Area Network）やインターネットとも接続可能である。通信部５４は撮像部２２で撮像して得られた画像データ（スルー画像を含む）や、記録媒体２００に記録された画像データを送信することが可能であり、また、外部機器から画像データやその他の各種情報を受信することができる。
【００３４】
姿勢検知部５５は、重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別することができる。システム制御部５０は、姿勢検知部５５で検知された姿勢に応じた向き情報を撮像部２２で撮像された画像の画像ファイルに付加したり、画像を回転して記録したりすることが可能である。また、姿勢検知部５５としては、加速度センサーやジャイロセンサーなどを用いることができる。
【００３５】
以下、図３のフローチャートを参照しながら本実施形態の処理について、第１の倍率として等倍、第２の倍率として拡大した倍率を例に説明する。図３Ａ及び図３Ｂは、ＡＦモードにおいて、ライブビュー時の等倍表示と拡大表示とでＡＦ測距点の位置を設定する処理手順の一例を示すフローチャートである。ここで説明する拡大表示は、光学ズームではなく、撮像部２２からの読み出し範囲を変えることによって行う電子的なライブビューの拡大である。すなわち、ここで説明する拡大の処理は、ズームレンズの駆動を伴わないものである。この処理は、システム制御部５０が、不揮発性メモリ５６に記録されたプログラムをシステムメモリ５２に展開して実行することで実現する。
【００３６】
まず、ユーザによりモード切替スイッチ６０が操作され、静止画撮影モードにおけるＡＦモードに切り替えられると処理を開始する。そして、Ｓ３０１においては、システム制御部５０の制御により、前述した手順でライブビュー表示を開始する。
【００３７】
次にＳ３０２において、システム制御部５０は、表示部２８に等倍表示でライブビューを表示する。図４（ａ）〜図４（ｃ）は、各ＡＦモードにおける等倍表示の表示例を示す図である。図４（ａ）は、顔ＡＦモード以外であって且つＡＦ測距点が常に拡大表示内に収まるＡＦモードである場合の表示例であり、選択しているＡＦ測距点の領域４０１を表示する。一方、図４（ｂ）は、顔ＡＦモード以外であって且つＡＦ測距点が拡大表示内に収まるとは限らないＡＦモードである場合の表示例であり、選択しているＡＦ測距点の領域４０２を表示する。また、図４（ｃ）は、ＡＦモードが顔ＡＦモードである場合の表示例であり、検知した顔の中でＡＦ測距点に選択されている領域４０３を表示する。また、これらのライブビューの等倍表示において、さらに拡大位置を表示するようにしてもよい。
【００３８】
次にＳ３０３において、システム制御部５０は、システムメモリ５２に記録されているＡＦモードの設定情報を取得する。そして、Ｓ３０４において、システム制御部５０は、ユーザにより、ＡＦモード設定の変更が指示されたかどうかを判定する。この判定の結果、ＡＦモードの変更が指示された場合はＳ３０５に進み、ＡＦモードの変更が指示されなかった場合はＳ３０６に進む。Ｓ３０４、Ｓ３０５で設定可能な、ライブビュー撮影において設定可能なＡＦモードには、焦点調整位置の選択方式が異なる下記の（１）〜（４）がある。ユーザは、下記の何れかを選択して設定可能である。
（１）顔＋追尾優先ＡＦ（顔ＡＦ）
ＬＶに存在する人の顔を検知してピント合わせ（焦点調節）を行う。顔が動くとＡＦフレーム（焦点調節位置）も動いて顔を追尾する。複数の顔を検知している時は、ＡＦ測距点（ＡＦフレーム、焦点調節位置）に左右の矢印マークが表示され、十字キー７４の操作に応じてＡＦフレームを設定する顔を変更できる。画面にタッチして、顔または被写体を選ぶこともできる。顔が検知できない時や、画面にタッチして顔または被写体を選択しなかった時は、ライブ多点ＡＦの自動選択に切り替わる。
（２）ライブ多点ＡＦ
自動選択とゾーン選択の何れかをユーザが選択して設定する。自動選択では、最大３１点のＡＦフレームを使用した広いエリアでピントを合わせる。ゾーン選択では、エリアを９つのゾーンに分け、ユーザに選択されたゾーンにあるＡＦフレームを用いてピントを合わせる。ＳＥＴボタン７５を押下するたびに自動選択とゾーン選択が切り替わる。ゾーン選択に設定されている場合、十字キー７４の操作に応じて選択されるゾーンを切り替える。ＳＥＴボタン７５が押下されると中央のゾーンに選択を戻す。表示部２８にタッチしてゾーンを選択することも可能である。
（３）ライブ１点ＡＦ
ユーザ操作に応じてライブビュー上の任意の位置に置かれた１点のＡＦフレームでピント合わせを行う１点ＡＦモードである。撮影範囲内の狙った被写体にピントを合わせたい場合に効果的である。ＡＦフレームの移動は、十字キー７４の操作、またはライブビューが表示された表示部２８に対するタッチ操作によって行う。
（４）クイックＡＦ
ファインダー撮影時と同じＡＦ方式で、専用のＡＦセンサーを使ってワンショットＡＦでピント合わせを行う。ＡＦ中はライブビューの表示が一時的に中断される。専用のＡＦセンサーを用いたＡＦの測距エリアとして下記の何れかを予め設定しておくことができる。
・１点ＡＦ（任意選択）
ピント合わせに使うＡＦフレーム１点を選択する。
・ゾーンＡＦ（ゾーン任意選択）
１９点のＡＦフレームを、５つの測距ゾーンに分け、ユーザに選択されたゾーン内に含まれるＡＦフレームを用いてピント合わせを行うゾーン選択ＡＦモードである。選択したゾーンの全ＡＦフレームで自動選択ＡＦを行うため、１点ＡＦよりもピントが合いやすく、動きのある被写体を撮影するときにも有効。
・１９点自動選択ＡＦ
全てのＡＦフレームを使ってピント合わせを行う。基本的に最も近距離にある被写体にピントを合わせる。
このうち、後述する、「常にＡＦ測距点が拡大表示内にあるＡＦモード」は、（３）ライブ１点ＡＦ、または、（４）クイックＡＦかつ１点ＡＦ（任意選択）である。また、「ＡＦ測距点が拡大表示内から外れる場合があるＡＦモード」は、（１）顔＋追尾優先ＡＦ（顔ＡＦ）、（２）ライブ多点ＡＦの自動選択及びゾーン選択、（４）クイックＡＦのゾーンＡＦと１９点自動選択ＡＦである。
【００３９】
Ｓ３０５においては、システム制御部５０は、変更指示されたＡＦモードの設定情報をシステムメモリ５２に記録する。そして、Ｓ３０６においては、システム制御部５０は、ユーザにより操作部７０の中の拡大ボタン７７が操作され、ライブビューの拡大が指示されたかどうかを判定する。この判定の結果、ライブビューの拡大が指示された場合は図３ＢのＳ３５１に進み、ライブビューの拡大が指示されなかった場合はＳ３０７に進む。
【００４０】
Ｓ３０７においては、システム制御部５０は、システムメモリ５２に記録されているＡＦモードが顔ＡＦモードかどうかを判定する。この判定の結果、顔ＡＦモードである場合はＳ３０８に進み、顔ＡＦモードでない場合はＳ３２７に進む。
Ｓ３０８では、システム制御部５０は、ライブビュー画像から顔を検知できたかどうかを判定する。なお、顔を検知する方法としては公知の技術を用いるものとする。この判定の結果、顔を検知できた場合はＳ３１３に進み、顔が検知できなかった場合はＳ３０９に進む。
【００４１】
Ｓ３０９においては、ＡＦモードが顔ＡＦモードに設定されているが、ライブビュー画像に顔がなく、顔ＡＦモードとして動作できない。そこで、システム制御部５０は、一時的に等倍表示のＡＦモードを顔ＡＦモード以外のＡＦモードに設定し、システムメモリ５２に記録する。本実施形態では、ライブ多点ＡＦの自動選択に設定するものとする。
【００４２】
次にＳ３１０において、システム制御部５０は、「拡大表示のＡＦ測距点に近い顔に等倍表示のＡＦ測距点を設定するフラグ」をＯＦＦにし、システムメモリ５２に記録する。なお、このフラグは拡大表示から等倍表示に遷移する際にＯＮに設定されるものであり、詳しい説明はＳ３１７の処理で後述する。
【００４３】
次にＳ３１１において、等倍表示のＡＦモードを顔ＡＦ以外のＡＦモードに設定したことに伴い、システム制御部５０は、そのＡＦモードに従ったＡＦ測距点を設定し、システムメモリ５２に記録する。そして、Ｓ３１２において、システム制御部５０は、Ｓ３１１で設定した等倍表示のＡＦ測距点と同じ位置に拡大表示のＡＦ測距点を設定し、システムメモリ５２に記録する。
【００４４】
一方、Ｓ３１３においては、Ｓ３０９で一時的に等倍表示のＡＦモードを顔ＡＦモード以外のＡＦモードに設定していたが、Ｓ３０８の判定で顔が検知できるようになる場合がある。そこで、顔ＡＦで動作するように、システム制御部５０は、等倍表示で動作するＡＦモードを顔ＡＦモードに戻し、システムメモリ５２に記録する。なお、等倍表示で元々顔ＡＦモードに設定されている場合には、この処理を省略するものとする。
【００４５】
次にＳ３１４において、システム制御部５０は、ライブビュー画像から２つ以上の複数の顔を検知したかどうか判定する。この判定の結果、２つ以上の複数の顔を検知した場合はＳ３１７に進み、２つ以上の複数の顔を検知できなかった場合はＳ３１５に進む。
【００４６】
Ｓ３１５においては、システム制御部５０は、検知した顔の領域に等倍表示のＡＦ測距点を設定し、システムメモリ５２に記録する。そして、Ｓ３１６において、システム制御部５０は、Ｓ３１５で設定した等倍表示のＡＦ測距点と同じ位置に拡大表示のＡＦ測距点を設定し、システムメモリ５２に記録する。
【００４７】
一方、Ｓ３１７においては、システム制御部５０は、システムメモリ５２に記録されている「拡大表示のＡＦ測距点に近い顔に等倍表示のＡＦ測距点を設定するフラグ」がＯＮかどうかを判定する。この判定の結果、このフラグがＯＮの場合はＳ３１９に進み、ＯＦＦの場合はＳ３１８に進む。このフラグは、等倍表示のＡＦモードが顔ＡＦモードのとき、拡大表示から等倍表示に遷移する際に、後述するＳ３６１でＯＮに設定されるフラグである。このフラグは、拡大表示から等倍表示に遷移した直後に等倍表示のＡＦ測距点を、拡大表示のＡＦ測距点に近い顔に設定するためのフラグである。
【００４８】
Ｓ３１８においては、システム制御部５０は、検知した複数の顔の中から、主被写体を判断し、その主被写体の顔領域に等倍表示のＡＦ測距点を設定し、システムメモリ５２に記録する。なお、主被写体を判断する方法は特に限定しないが、中心に近い顔を主被写体と判断してもよく、顔領域が最も大きいものを主被写体と判断してもよい。
【００４９】
一方、Ｓ３１９においては、「拡大表示のＡＦ測距点に近い顔に等倍表示のＡＦ測距点を設定するフラグ」がＯＮになっているので、システム制御部５０は、検知した複数の顔の中から、拡大表示のＡＦ測距点に最も近い顔に優先的にＡＦ測距点を設定する。この動作について図５を用いて説明する。
【００５０】
例えば、拡大表示では画像全体の左下の位置であって、図５（ａ）における領域５０１の位置にＡＦ測距点が設定されていた場合は、等倍表示に戻った直後に、図５（ｂ）における左側の顔の領域５０２にＡＦ測距点が設定される。
【００５１】
次にＳ３２０において、システム制御部５０は、等倍表示のＡＦ測距点に設定した顔が検知できなくなったかどうかを判定する。この判定の結果、ＡＦ測距点に設定した顔が検知できなくなった場合はＳ３２１に進み、検知できている場合はＳ３２３に進む。
【００５２】
Ｓ３２１においては、システム制御部５０は、「拡大表示のＡＦ測距点に近い顔に等倍表示のＡＦ測距点を設定するフラグ」をＯＦＦにし、システムメモリ５２に記録する。そして、Ｓ３２２において、等倍表示のＡＦ測距点に設定していた顔が検知できなくなったので、システム制御部５０は、他に検知している顔の中から主被写体を判断して、その主被写体の顔領域に等倍表示のＡＦ測距点を設定し、システムメモリ５２に記録する。
【００５３】
一方、Ｓ３２３においては、複数の顔を検知している状態において、ユーザにより操作部７０の十字キー７４等が操作され、システム制御部５０は、ＡＦ測距点に設定する顔を切り替える指示が行われたかどうかを判定する。この判定の結果、切り替わる指示が行われた場合はＳ３２４に進み、切り替わる指示が行われなかった場合はＳ３２６に進む。
【００５４】
Ｓ３２４においては、システム制御部５０は、「拡大表示のＡＦ測距点に近い顔に等倍表示のＡＦ測距点を設定するフラグ」をＯＦＦにし、システムメモリ５２に記録する。そして、Ｓ３２５において、システム制御部５０は、切り替えた顔に等倍表示のＡＦ測距点を設定し、システムメモリ５２に記録する。
Ｓ３２６においては、システム制御部５０は、等倍表示のＡＦ測距点と同じ位置に、拡大表示のＡＦ測距点を設定し、システムメモリ５２に記録する。
【００５５】
一方、Ｓ３２７においては、システム制御部５０は、ユーザにより操作部７０の十字キー７４等が操作され、ＡＦ測距点の変更が指示されたかどうかを判定する。この判定の結果、ＡＦ測距点の変更が指示された場合はＳ３２８に進み、ＡＦ測距点の変更が指示されなかった場合はＳ３３０に進む。
【００５６】
Ｓ３２８においては、システム制御部５０は、操作部７０により変更指示されたＡＦ測距点を設定し、システムメモリ５２に記録する。そして、Ｓ３２９において、システム制御部５０は、Ｓ３２８で変更されたＡＦ測距点の位置と同じ位置に拡大表示のＡＦ測距点を変更し、システムメモリ５２に記録する。
【００５７】
Ｓ３３０においては、システム制御部５０は、シャッターボタン６１の半押し（撮影準備指示）で第１シャッタースイッチ６２がＯＮとなり、第１シャッタースイッチ信号ＳＷ１が発生したかどうかを判定する。この判定の結果、第１シャッタースイッチ信号ＳＷ１が発生した場合はＳ３３１に進み、第１シャッタースイッチ信号ＳＷ１が発生しなかった場合はＳ３０３に戻る。
【００５８】
Ｓ３３１においては、システム制御部５０は、設定されているＡＦモードに従い、設定された測距点において焦点を検出するようにレンズユニット１５０を制御し、ＡＦ動作を行う。そして、Ｓ３３２において、システム制御部５０は、シャッターボタン６１の半押し（撮影準備指示）が終わり、第１シャッタースイッチ６２がＯＦＦとなり、第１シャッタースイッチ信号ＳＷ１の発生が止まったかどうかを判定する。この判定の結果、第１シャッタースイッチ信号ＳＷ１の発生が止まった場合はＳ３３３に進み、第１シャッタースイッチ信号ＳＷ１の発生が止まってない場合はＳ３３４に進む。
Ｓ３３３においては、システム制御部５０は、ＡＦ動作を止めるように制御する。
【００５９】
一方、Ｓ３３４においては、システム制御部５０は、シャッターボタン６１の全押し（撮影指示）で第２シャッタースイッチ６４がＯＮとなり、第２シャッタースイッチ信号ＳＷ２が発生したかどうかを判定する。この判定の結果、第２シャッタースイッチ信号ＳＷ２が発生した場合はＳ３３５に進み、第２シャッタースイッチ信号ＳＷ２が発生しなかった場合はＳ３３１に戻る。
Ｓ３３５においては、システム制御部５０は、前述した一連の撮影処理を行い、画像データを記録媒体２００に記録する。そして、Ｓ３０２に戻る。
【００６０】
次に、拡大表示が行われている場合の処理について説明する。
図３ＢのＳ３５１においては、システム制御部５０は、ライブビュー拡大指示に対応してライブビューの拡大率を増加し、その値をシステムメモリ５２に記録する。
【００６１】
次にＳ３５２において、システム制御部５０は、システムメモリ５２に記録されている拡大率に合わせて、表示部２８にライブビューを拡大表示する。すなわち、撮像部２２からの読み出し範囲を狭くし、解像度を上げることにより、電子的にライブビューを拡大表示する。Ｓ３５２の拡大表示にはズームレンズの駆動は伴わない。図４（ｄ）には、拡大表示されたライブビューの一例を示しており、拡大位置を示すインジケータ４０４、拡大率４０５、及びＡＦ測距点の領域４０６も併せて表示される。
【００６２】
次にＳ３５３において、システム制御部５０は、システムメモリ５２に記録されているＡＦモードが、ＡＦ測距点が拡大表示内から外れる場合があるＡＦモードかどうかを判定する。なお、前述の顔ＡＦモードは、検知した顔の位置によってはＡＦ測距点が拡大表示内に収まらないため、ＡＦ測距点が拡大表示内から外れる場合があるＡＦモードに該当する。この判定の結果、ＡＦ測距点が拡大表示内から外れる場合があるＡＦモードである場合はＳ３５４に進み、そのようなＡＦモードでない場合はＳ３５５に進む。
【００６３】
Ｓ３５４においては、ＡＦ測距点が拡大表示内にない場合には拡大表示のままＡＦ動作を行うことができないため、システム制御部５０は、拡大表示中のみ一時的にＡＦモードを「常にＡＦ測距点が拡大表示内にあるＡＦモード」に変更する。具体的には、ライブ１点ＡＦ、またはクイックＡＦかつ１点ＡＦ（任意選択）に変更する。そして、その情報をシステムメモリ５２に記録する。
【００６４】
Ｓ３５５においては、システム制御部５０は、ユーザにより操作部７０の中の拡大ボタン７７が操作され、ライブビューの拡大が指示されたかどうかを判定する。この判定の結果、ライブビューの拡大が指示された場合はＳ３５６に進み、ライブビューの拡大が指示されなかった場合はＳ３６２に進む。
【００６５】
Ｓ３５６においては、システム制御部５０は、Ｓ３５１でシステムメモリ５２に記録されたライブビューの拡大率が最大値であるかどうかを判定する。この判定の結果、拡大率が最大値である場合はＳ３５７に進み、拡大率が最大値でない場合はＳ３５１に戻る。
【００６６】
Ｓ３５７においては、システム制御部５０は、表示設定を等倍表示に倍率変更し、その設定情報をシステムメモリ５２に記録する。そして、Ｓ３５８において、システム制御部５０は、Ｓ３５４で拡大表示中のみ一時的にＡＦモードを「常にＡＦ測距点が拡大表示内にあるＡＦモード」に変更しているかどうかを判定する。この判定の結果、「常にＡＦ測距点が拡大表示内にあるＡＦモード」に変更している場合はＳ３５９に進み、「常にＡＦ測距点が拡大表示内にあるＡＦモード」に変更していない場合は図３ＡのＳ３０２に戻る。
【００６７】
Ｓ３５９においては、システム制御部５０は、拡大表示から等倍表示に戻る際に、Ｓ３５４で設定したＡＦモードを元の等倍表示のＡＦモードに戻し、システムメモリ５２に記録する。そして、Ｓ３６０において、システム制御部５０は、システムメモリ５２に記録されている等倍表示のＡＦモードが顔ＡＦモードであるかどうかを判定する。この判定の結果、顔ＡＦモードである場合はＳ３６１に進み、顔ＡＦモードでない場合はＳ３０２に戻る。
【００６８】
Ｓ３６１においては、システム制御部５０は、拡大表示のＡＦ測距点に近い顔に等倍表示のＡＦ測距点を設定するフラグをＯＮにする。そして、Ｓ３０２に戻る。このフラグは、Ｓ３１７の処理で説明したように、拡大表示から等倍表示に遷移した直後、等倍表示のＡＦ測距点を、拡大表示のＡＦ測距点に近い顔に設定するためのフラグである。
【００６９】
一方、Ｓ３６２においては、システム制御部５０は、ユーザにより操作部７０の十字キー７４などが操作され、拡大表示のＡＦ測距点の変更が指示されたかどうかを判定する。この判定の結果、拡大表示のＡＦ測距点の変更が指示された場合はＳ３６３に進み、拡大表示のＡＦ測距点の変更が指示されなかった場合はＳ３７２に進む。
【００７０】
Ｓ３６３においては、システム制御部５０は、システムメモリ５２に記録されている等倍表示のＡＦモードが顔ＡＦモードであるかどうかを判定する。この判定の結果、顔ＡＦモードである場合はＳ３６７に進み、顔ＡＦモードでない場合はＳ３６４に進む。
【００７１】
Ｓ３６４においては、システム制御部５０は、Ｓ３５４で拡大表示中のみ一時的にＡＦモードを「常にＡＦ測距点が拡大表示内にあるＡＦモード」に変更しているかどうかを判定する。この判定の結果、「常にＡＦ測距点が拡大表示内にあるＡＦモード」に変更している場合はＳ３６５に進み、「常にＡＦ測距点が拡大表示内にあるＡＦモード」に変更していない場合はＳ３６８に進む。
【００７２】
Ｓ３６５においては、システム制御部５０は、拡大表示のＡＦ測距点の移動範囲を等倍表示で設定されているＡＦ測距点の領域内に限定するかどうかを判定する。ＡＦ測距点の領域内に限定するか否かについては、ユーザの操作によりメニュー画面から設定することができる。この判定の結果、拡大表示のＡＦ測距点の移動範囲を等倍表示で設定しているＡＦ測距点の領域内に限定する場合はＳ３６６に進み、拡大表示のＡＦ測距点の移動範囲を等倍表示で設定されているＡＦ測距点の領域内に限定しない場合はＳ３６９に進む。
【００７３】
Ｓ３６６においては、システム制御部５０は、ユーザにより操作部７０の十字キー７４などが操作されたことにより変更指示された拡大表示のＡＦ測距点が、等倍表示のＡＦ測距点の領域内を超えているかどうかを判定する。この判定の結果、変更指示された拡大表示のＡＦ測距点が等倍表示で設定されているＡＦ測距点の領域内を超えている場合は拡大表示のＡＦ測距点を変更せずＳ３７２に進む。一方、変更指示された拡大表示のＡＦ測距点が等倍表示で設定されているＡＦ測距点の領域内を超えていない場合はＳ３６９に進む。図４（ａ）に示す例の場合には、変更指示された拡大表示のＡＦ測距点が、等倍表示のＡＦ測距点の領域４０１内である場合は、その位置に拡大表示のＡＦ測距点を変更する。一方、変更指示された拡大表示のＡＦ測距点が、等倍表示のＡＦ測距点の領域４０１外である場合は、拡大表示のＡＦ測距点を変更しないようにする。
【００７４】
一方、Ｓ３６７においては、システム制御部５０は、ユーザの操作によって変更指示された拡大表示のＡＦ測距点をシステムメモリ５２に記録する。このとき、拡大表示のＡＦ測距点を移動する際に、拡大表示の表示位置を移動させてもよい。なお、Ｓ３６８及びＳ３６９においても、システム制御部５０は、Ｓ３６７と同じ処理を行う。
【００７５】
Ｓ３７０においては、システム制御部５０は、等倍表示のＡＦ測距点を拡大表示のＡＦ測距点と同じ位置に設定し、システムメモリ５２に記録する。
Ｓ３７１においては、システム制御部５０は、等倍表示のＡＦ測距点の位置を拡大表示のＡＦ測距点の位置に連動させ、システムメモリ５２に記録する。この動作について図６を用いて説明する。
【００７６】
図６（ａ）の画像６０１は拡大表示の表示例を示している。また、図６（ａ）の６０２は、拡大表示のＡＦ測距点と等倍表示のＡＦ測距点との位置関係を示しており、枠６０３は等倍表示のＡＦ測距点の領域を示し、枠６０４は拡大表示のＡＦ測距点の領域を示す。この図の例は、等倍表示のＡＦモードではゾーンＡＦ（ライブ多点ＡＦのゾーン選択でのＡＦ）を行い、拡大表示では１点ＡＦを行う例であり、ＡＦ測距点の領域のサイズが等倍表示と拡大表示とで異なっている。
【００７７】
まず、図６（ａ）に示す位置に拡大表示及び等倍表示のそれぞれのＡＦ測距点が設定され、図６（ｂ）に示すように、等倍表示のＡＦ測距点の領域内で拡大表示のＡＦ測距点を移動させても、等倍表示のＡＦ測距点の位置は変わらないようにする。一方、図６（ｃ）に示すように、等倍表示のＡＦ測距点の領域外に拡大表示のＡＦ測距点を移動させる場合は、拡大表示のＡＦ測距点の位置に合わせて、等倍表示のＡＦ測距点の位置を変更する（Ｓ３６５でＮｏの場合）。
【００７８】
なお、等倍表示のＡＦ測距点の位置が変更されるタイミングは、ＡＦ動作を行う時であってもよい。ユーザの意図として、ただ単に拡大表示の位置を変えたかっただけで、ＡＦ測距点の位置を変えたかったわけでない場合も存在する。このような理由から、ＡＦ動作を行う前の、拡大表示のＡＦ測距点を移動させただけの状態では、等倍表示のＡＦ測距点を変更しないようにしてもよい。
【００７９】
次に、Ｓ３７２において、システム制御部５０は、シャッターボタン６１の半押し（撮影準備指示）で第１シャッタースイッチ６２がＯＮとなり、第１シャッタースイッチ信号ＳＷ１が発生したかどうかを判定する。この判定の結果、第１シャッタースイッチ信号ＳＷ１が発生した場合はＳ３７３に進み、第１シャッタースイッチ信号ＳＷ１が発生しなかった場合はＳ３５５に戻る。
【００８０】
Ｓ３７３においては、システム制御部５０は、拡大表示のまま拡大状態で設定されているＡＦモードに従って設定された測距点において焦点を検出する（焦点調節を行う）ようにレンズユニット１５０を制御し、ＡＦ動作を行う。なお、前述したＳ３７０、Ｓ３７１の処理を行わなず、Ｓ３７３でＡＦ動作を行った場合、等倍表示のＡＦ測距点を拡大表示のＡＦ測距点と一致させる／連動させる制御を行っても良い。このようにすれば、拡大表示において暫定的にＡＦ測距点を変更したものの、実際にはＡＦ動作を実行しなかった測距点は等倍表示に基した際の測距点には反映させないようにすることができる。
Ｓ３７４においては、システム制御部５０は、シャッターボタン６１の半押し（撮影準備指示）が終わり、第１シャッタースイッチ６２がＯＦＦとなり、第１シャッタースイッチ信号ＳＷ１の発生が止まったかどうかを判定する。この判定の結果、第１シャッタースイッチ信号ＳＷ１の発生が止まった場合はＳ３７５に進み、第１シャッタースイッチ信号ＳＷ１の発生が止まってない場合はＳ３７６に進む。
Ｓ３７５においては、システム制御部５０は、ＡＦ動作を止めるように制御する。
【００８１】
一方、Ｓ３７６においては、システム制御部５０は、シャッターボタン６１の全押し（撮影指示）で第２シャッタースイッチ６４がＯＮとなり、第２シャッタースイッチ信号ＳＷ２が発生したかどうかを判定する。この判定の結果、第２シャッタースイッチ信号ＳＷ２が発生した場合はＳ３７７に進み、第２シャッタースイッチ信号ＳＷ２が発生しなかった場合はＳ３７３に戻る。
Ｓ３７７においては、システム制御部５０は、前述した一連の撮影処理を行い、画像データを記録媒体２００に記録する。そして、Ｓ３５２に戻る。
【００８２】
以上のように本実施形態によれば、等倍表示に設定されていた第１のＡＦモードだった場合に拡大表示すると第２のＡＦモードに設定し、拡大表示においてＡＦ測距点の変更が指示された場合に、変更されたＡＦ測距点の位置に基づいて等倍表示のＡＦ測距点を設定するようにした。また、等倍表示のＡＦモードが顔ＡＦモードである場合は、拡大表示においてＡＦ測距点の変更が指示された場合に、拡大表示で変更されたＡＦ測距点から最も近い顔に等倍表示のＡＦ測距点を設定するようにした。このように、等倍表示と拡大表示とで動作するＡＦモードが異なる場合においても、等倍表示と拡大表示とでＡＦ測距点の位置を連動させることができる。
【００８３】
なお、システム制御部５０の制御は１つのハードウェアが行ってもよいし、複数のハードウェアが処理を分担することで、装置全体の制御を行ってもよい。また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８４】
また、上述した実施形態においては、本発明をデジタルカメラに適用した場合を例にして説明したが、これはこの例に限定されず、等倍表示と拡大表示とでＡＦ測距点の位置を連動できる装置であれば適用可能である。すなわち、本発明は、携帯電話端末やデジタルビデオカメラなどにも適用可能である。
【００８５】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８６】
２２  撮像部
５０  システム制御部
【図１】
0006598589.tif 000002
【図２】
0006598589.tif 000003
【図３Ａ】
0006598589.tif 000004
【図３Ｂ】
0006598589.tif 000005
【図４】
0006598589.tif 000006
【図５】
0006598589.tif 000007
【図６】
0006598589.tif 000008